(57)【特許請求の範囲】
【請求項１】
運転者の負荷状態を表す運転負荷であって、少なくとも前記運転者による運転操作に基づく複数の検出項目と前記複数の検出項目毎に予め定められた評価基準との比較に基づいて特定される運転負荷を取得する負荷取得手段（Ｓ１０５）と、
前記負荷取得手段により取得される前記運転負荷の高低に基づいて、前記運転負荷が特定運転負荷より高い場合に、操作を行うための操作用画面における操作のうちの、特定操作に基づく処理を禁止する禁止手段（Ｓ１１５）と、
前記操作用画面に対して前記特定操作が行われたことを検出する検出手段（Ｓ１３５）と、
前記特定操作に基づく処理が前記禁止手段により禁止されているとき、前記検出手段により前記操作用画面に対して前記特定操作が行われたことが検出された場合に、前記特定操作に基づく処理の禁止が解除されるように、前記運転負荷を低くさせる案内を行う案内手段（Ｓ１５０）と、
を備え、
前記案内手段は、前記複数の検出項目のうち前記特定操作に基づく処理が禁止される要因である禁止要因を少なくとも１つ特定し、当該禁止要因に応じて前記運転負荷を低くさせる案内を行う
ことを特徴とする表示処理装置。
【請求項２】
請求項１に記載の表示処理装置であって、
前記案内手段は、前記禁止要因が車速である場合、前記車速を低下させる案内を行うことで前記運転負荷を低くさせる
ことを特徴とする表示処理装置。
【請求項３】
請求項１又は請求項２に記載の表示処理装置であって、
前記案内手段は、前記禁止要因が車間距離である場合、前記車間距離を低下させる案内を行うことで前記運転負荷を低くさせる
ことを特徴とする表示処理装置。
【請求項４】
請求項１から請求項３のいずれか一項に記載の表示処理装置であって、
前記案内手段は、前記禁止要因が自車位置である場合、高負荷エリア外への迂回案内を行うことで前記運転負荷を低くさせる
ことを特徴とする表示処理装置。
【請求項５】
請求項１から請求項４のいずれか一項に記載の表示処理装置であって、
前記案内手段は、前記運転負荷を前記特定運転負荷以下とする案内を行う
ことを特徴とする表示処理装置。
【請求項６】
請求項１から請求項５のいずれか一項に記載の表示処理装置であって、
前記案内手段は、前記特定操作に基づく処理が前記禁止手段により禁止されているとき、前記操作用画面に対して前記特定操作とは異なる操作が行われた場合に、前記案内手段による案内を禁止する
ことを特徴とする表示処理装置。
【請求項７】
請求項１から請求項６のいずれか一項に記載の表示処理装置であって、
前記案内手段は、音声により報知を行う
ことを特徴とする表示処理装置。
【発明の詳細な説明】
【技術分野】
【０００１】
本発明は、表示処理装置に関する。
【背景技術】
【０００２】
従来、例えば自車位置の表示や案内経路の表示等のナビゲーション機能を備える表示処理装置が知られている。表示処理装置では、例えば表示画面において表示されたメニューの中から機能を選択する操作がなされると、選択された機能が実行されるようになっている。
【０００３】
ところで、車両の運転者が、運転中に、メニュー等の表示された表示画面を注視しつつ操作を行うことは、安全上好ましいことではない。そこで、運転者の運転負荷が高い場合には、表示画面における所定の操作を制限する技術（いわゆる走行強制）が提案されている。
【先行技術文献】
【特許文献】
【０００４】
【特許文献１】特開２０１３−３２９８６号公報
【発明の概要】
【発明が解決しようとする課題】
【０００５】
しかしながら、特許文献１に記載の技術では、運転者は、制限された所定の操作を行うことができず不便を感じる。また、運転者は、操作が制限された要因を知ることができない為、操作の制限を解除するための対応を行うことが困難であるという問題があった。
【０００６】
本発明は、走行強制により操作が制限された状態において、操作の制限を運転者によって解除可能とする技術を提供することを目的としている。
【課題を解決するための手段】
【０００７】
本発明の一側面は、表示処理装置であって、負荷取得手段と、禁止手段と、検出手段と、案内手段とを備える。負荷取得手段は、少なくとも運転者による運転操作に基づいて運転者の運転負荷を取得する。禁止手段は、負荷取得手段により取得される運転負荷の高低に基づいて、運転負荷が特定運転負荷より高い場合に、操作を行うための操作用画面における操作のうちの、特定操作に基づく処理を禁止する。検出手段は、操作用画面に対して特定操作が行われたことを検出する。案内手段は、特定操作に基づく処理が禁止手段により禁止されているとき、検出手段により操作用画面に対して特定操作が行われたことが検出された場合に、特定操作に基づく処理の禁止が解除されるように、運転負荷を低くさせる案内を行う。
【０００８】
このような構成によれば、特定操作に基づく処理が禁止されている状態で操作用画面に対して該特定操作が行われた場合に、どのようにすれば特定操作に基づく処理の禁止が解除されるかについて案内が行われる。これにより、走行強制により操作が制限された状態において、操作の制限の運転者による解除を可能とすることができる。
【０００９】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１０】
【図１】実施形態の車両用表示処理システムの構成を示すブロック図。
【図２】案内処理のフローチャート。
【図３】負荷状態の一例を説明する図。
【図４】高負荷状態におけるＨＩＦ部の表示及び案内の一例を示す図。
【発明を実施するための形態】
【００１１】
以下、本発明が適用された実施形態について、図面を用いて説明する。
［１．構成］
図１に示す車両用表示処理システム１は、車両に搭載され、検出部１１、地図データベース部１２、ＨＩＦ部１３、記憶部１４、及びナビゲーションＥＣＵ１５を備える。
【００１２】
検出部１１は、一例として、ＧＰＳ受信機１１１、車速センサ１１２、及び車間距離センサ１１３を備える。
ＧＰＳ受信機１１１は、ＧＰＳ（Global Positioning System）用の人工衛星からの送信信号を受信し、自車両（当該車両用表示処理システム１が搭載された車両）の位置座標（自車位置）を検出し、自車位置をナビゲーションＥＣＵ１５へ出力する。
【００１３】
車速センサ１１２は、自車両の車軸に取り付けられたパルス発生器によって該車軸の回転速度を検出し、検出した回転速度に基づいて自車両の速度を算出し、算出した車速をナビゲーションＥＣＵ１５へ出力する。
【００１４】
車間距離センサ１１３は、車両前方に配置されたレーダから電波を送信し、車両前方に位置する物標からの反射波を受信し、この受信結果に基づいて、自車両と先行車両との間の距離を検出する。車間距離センサ１１３は、検出した車間距離をナビゲーションＥＣＵ１５へ出力する。
【００１５】
地図データベース部１２は、一例として、フラッシュＲＯＭやＥＥＰＲＯＭ等の記憶媒体を備える。地図データベース部１２は、自車両の走行可能な道路が示された地図を表す地図データを記憶する。当該地図には、運転者の運転負荷が高くなる領域である高負荷エリアが示されている。高負荷エリアとしては、渋滞等により運転者がブレーキ操作に集中する必要が生じる領域、急カーブ等により運転者がハンドル操作及びブレーキ操作に集中する必要が生じる領域、道路幅が狭く運転者がアクセル操作及びブレーキ操作に集中する必要が生じる領域等が、一例として挙げられる。すなわち、高負荷エリアは、該領域を走行中に運転者が所定の運転操作に集中する必要が生じる領域である。高負荷エリアは、例えば、ブレーキの踏み込み、ハンドル操作（舵角）、アクセル開度、加速度、車間距離を車速で割った値である車間時間等に基づいて、予め定められている。
【００１６】
ヒューマンインタフェース（ＨＩＦ）部１３は、表示部１３１と入力部１３２と音声部１３３とを備える。表示部１３１は、ナビゲーションＥＣＵ１５から入力した画像データの表す画像を表示する。ここでいう画像には、ユーザに対する視覚的な各種情報が含まれる。ユーザとは、主に運転者であり、自車両の他の乗員であってもよい。入力部１３２は、表示部１３１に表示される画像に基づきユーザによって行われる操作を受け付けて、該操作を表す操作データをナビゲーションＥＣＵ１５へ入力する。操作データは、表示部１３１に表示されている画像に対してどのような操作がなされたのかを表すデータである。例えば、表示部１３１に選択可能な複数のスイッチがメニュー表示されている場合にどのスイッチを選択する操作がなされたか、を表すデータ等である。音声部１３３は、ナビゲーションＥＣＵ１５から入力した各種案内（報知）の音声を出力する。
【００１７】
本実施形態では、一例として、ＨＩＦ部１３は、表示部１３１及び入力部１３２（操作用画面）が一体に構成されている、周知のタッチパネルディスプレイを備える。また、ＨＩＦ部１３は、音声や警報音等を出力するためのスピーカを音声部１３３として備える。
【００１８】
記憶部１４は、一例として、フラッシュＲＯＭやＥＥＰＲＯＭ等の記憶媒体を備える。記憶部１４は、後述する案内処理における制限タスク、負荷フラグ、制限時画像情報、等を記憶する。
【００１９】
ナビゲーションＥＣＵ１５は、ＣＰＵ５１、ＲＯＭ５２、ＲＡＭ５３等を備える電子制御装置であって、ＣＰＵ５１がＲＯＭ５２等の記録媒体に記録されているプログラムに従った各種処理を実行することにより、車両用表示処理システム１を統括制御する。ナビゲーションＥＣＵ１５は、ナビゲーション機能を実現するための処理、例えば、地図上における自車両の位置を特定する処理や、設定された目的地までの経路を探索する処理、探索した経路に従い案内する処理などを実行する。
【００２０】
また、ナビゲーションＥＣＵ１５は、ユーザによる入力部１３２における操作に基づく処理、すなわち入力部１３２から入力される入力操作データに基づく処理を実行する。ただし、ナビゲーションＥＣＵ１５は、入力操作データにより表される操作が記憶部１４に記憶されている制限タスクに一致する場合は、該入力操作データに基づく処理を禁止するように機能する。ここでいう禁止とは、入力操作データに基づく処理を実行しないことをいう。以下では、例えば、入力部１３２に対して行われる操作に基づく処理を禁止することを、該操作を禁止する、というように記載する。例えば、特定操作に基づく処理を禁止することを、特定操作を禁止する、というように適宜記載する。
【００２１】
［２．処理］
次に、ナビゲーションＥＣＵ１５のＣＰＵ５１が実行する案内処理について、図２のフローチャートを用いて説明する。なお、図２に示す処理は、ＡＣＣスイッチがオンされている間、繰り返し実行される。
【００２２】
はじめに、ナビゲーションＥＣＵ１５は、車両状態について所定の検出項目の検出結果を取得する、すなわち、検出部１１が備える各種機器及びセンサの検出結果を取得する（Ｓ１００）。具体的には、ナビゲーションＥＣＵ１５は、ＧＰＳ受信機１１１により検出された自車位置を車両状態についての検出項目の検出結果として取得する。同様に、ナビゲーションＥＣＵ１５は、車速センサ１１２により検出された車速を取得し、車間距離センサ１１３により検出された自車両と先行車両との車間距離を取得する。
【００２３】
続いて、ナビゲーションＥＣＵ１５は、Ｓ１００で取得した各検出項目の検出結果と予め定められている評価基準との比較に基づいて、運転者の負荷状態を特定する（Ｓ１０５）。まず、ナビゲーションＥＣＵ１５は、Ｓ１００で取得した車速が、予め定められている車速閾値以上である場合に検出項目である車速についての負荷フラグをセットし、車速閾値未満である場合に検出項目である車速についての負荷フラグをリセットする。一例として示す図３では、○印は負荷フラグがセットされた状態を示し、×印は負荷フラグがセットされていない状態（リセット状態）を示す。
【００２４】
同様に、ナビゲーションＥＣＵ１５は、Ｓ１００で取得した車間距離が、予め定められている車間閾値未満である場合に検出項目である車間距離についての負荷フラグをセットし、車間閾値以上である場合に検出項目である車間距離についての負荷フラグをリセットする。さらに、ナビゲーションＥＣＵ１５は、Ｓ１００で取得した自車位置が、地図データベース部１２に示す高負荷エリアに位置する場合に検出項目である自車位置についての負荷フラグをセットし、高負荷エリアに位置しない場合に検出項目である自車位置についての負荷フラグをリセットする。
【００２５】
そして、ナビゲーションＥＣＵ１５は、セットされた負荷フラグの状態に応じて、運転者の運転負荷の高低を判定すると共に、負荷状態を特定する。本実施形態では、ナビゲーションＥＣＵ１５は、一例として、セットされた負荷フラグの数に応じて、運転者の運転負荷が高負荷状態及び低負荷状態の２つの状態のうちのいずれの状態であるかを特定する。高負荷状態は、低負荷状態よりも、運転者の運転負荷が高い負荷状態である。ここで一例として、ナビゲーションＥＣＵ１５は、車速、車間距離、及び自車位置の３つの検出項目のうち少なくとも１つの検出項目について負荷フラグがセットされている場合、運転者の運転負荷が高負荷状態であると特定する。一方、全ての検出項目について負荷フラグがセットされていない場合、ナビゲーションＥＣＵ１５は、運転者の運転負荷が低負荷状態であると特定する。
【００２６】
図２に戻り説明を続ける。続いて、ナビゲーションＥＣＵ１５は、Ｓ１０５で特定された運転者の運転負荷が所定の負荷状態であるか否かを判定する（Ｓ１１０）。本実施形態では一例として、ナビゲーションＥＣＵ１５は、Ｓ１０５で特定された運転者の運転負荷が高負荷状態であるか否かを判定する。ナビゲーションＥＣＵ１５は、高負荷状態でないと判定した場合に処理をＳ１２５へ移行させ、高負荷状態であると判定した場合に処理をＳ１１５へ移行させる。
【００２７】
ここで、高負荷状態であると判定した場合、ナビゲーションＥＣＵ１５は、入力部１３２に対する特定操作を禁止する（Ｓ１１５）。具体的には、ナビゲーションＥＣＵ１５は、入力部１３２に対する特定操作を制限タスクとして記憶部１４に記憶する。特定操作は、Ｓ１０５で特定された高負荷状態に応じて予め定められている、入力部１３２に対する操作である。本実施形態では一例として、入力部１３２に対するルート検索操作を特定操作とし、説明を行う。すなわち、本実施形態では、ナビゲーションＥＣＵ１５は、前述の高負荷状態である場合に（図３参照）、特定操作であるルート検索操作を制限タスクとして記憶部１４に記憶するようになっている。このようにルート検索操作が制限タスクとして記憶されている期間に、例えばルート検索のスイッチを選択する操作がユーザにより入力部１３２に対して行われ場合、ナビゲーションＥＣＵ１５はルート検索処理を実行しないようになっている。
【００２８】
続いて、ナビゲーションＥＣＵ１５は、Ｓ１０５で特定された負荷状態を、制限時負荷状態として、記憶部１４に記憶し、処理をＳ１３０へ移行させる（Ｓ１２０）。具体的には、ナビゲーションＥＣＵ１５は、図３に示す車速、車間距離、自車位置のうちどの検出項目に負荷フラグがセットされているかを、制限時負荷状態として、記憶部１４に記憶する。
【００２９】
一方、高負荷状態でないと判定した場合、ナビゲーションＥＣＵ１５は、入力部１３２に対する特定操作を許可する（Ｓ１２０）。このとき、ナビゲーションＥＣＵ１５は、特定操作が制限タスクとして記憶部１４に記憶されている場合には、制限タスクの内容から特定操作を削除（リセット）する。すなわち、入力部１３２に対する特定操作の禁止が解除される。一例としてルート検索操作を特定操作とする本実施形態では、ルート検索操作が制限タスクとして記憶されている場合には、制限タスクの内容からこのルート検索操作が削除される。このようにルート検索操作が制限タスクとして記憶されていない期間に、例えばルート検索のスイッチを選択する操作がユーザによって行われた場合、ナビゲーションＥＣＵ１５はルート検索処理を実行するようになっている。
【００３０】
Ｓ１３０では、ナビゲーションＥＣＵ１５は、入力部１３２に対してユーザによる操作がなされたか否かを検出する。ユーザによる操作がなされたか否かは、入力操作データに基づいて検出される。ここで、ユーザによる入力部１３２に対する操作が検出されなかった場合は、ナビゲーションＥＣＵ１５は本案内処理を終了する。一方、ユーザによる入力部１３２に対する操作が検出された場合は、ナビゲーションＥＣＵ１５は処理をＳ１３５へ移行させる。
【００３１】
続いて、ナビゲーションＥＣＵ１５は、Ｓ１３０で検出されたユーザによる入力部１３２に対する操作が、Ｓ１１５で設定された制限タスクに一致するか否かを判定する（Ｓ１３５）。ここで、ユーザ操作が制限タスクに一致しない場合、ナビゲーションＥＣＵ１５は、本案内処理を終了する。一方、ユーザによる操作が制限タスクに一致する場合、ナビゲーションＥＣＵ１５は、処理をＳ１４０へ移行させる。
【００３２】
Ｓ１４０では、ナビゲーションＥＣＵ１５は、入力部１３２に対するユーザによる操作（Ｓ１３０で検出された操作）が禁止されていることを、音声部１３３に案内させる。
続いて、ナビゲーションＥＣＵ１５は、入力部１３２に対するユーザによる操作（Ｓ１３０で検出された操作）が禁止されている要因である禁止要因を特定する（Ｓ１４５）。具体的には、ナビゲーションＥＣＵ１５は、記憶部１４に記憶されている制限時負荷状態に基づき、負荷フラグが設定されている検出項目を禁止要因として特定する。すなわち、制限時負荷状態として、例えば、車速、車間距離、自車位置の検出項目のうちの車速に負荷フラグがセットされていることが記憶されている場合、車速を禁止要因として特定する。
【００３３】
次に、ナビゲーションＥＣＵ１５は、Ｓ１４５で特定した禁止要因に基づいて、特定操作に基づく処理の禁止が解除されるように、運転負荷を低くさせる案内を行う（Ｓ１５０）。一例としてルート検索操作を特定操作とする本実施形態では、ナビゲーションＥＣＵ１５は、禁止要因が車速である場合、ルート検索操作に基づく処理の禁止が解除されるように、車速について負荷フラグをリセットさせるように案内を行う。具体的には、ナビゲーションＥＣＵ１５は、例えば「速度を落とすと、ルート検索操作を行うことができます」というメッセージを音声部１３３に案内させる。そして、ナビゲーションＥＣＵ１５は本案内処理を終了する。
【００３４】
［３．作用］
車両用表示処理システム１によれば、一例として図４に示す様に、運転者の運転負荷が高負荷状態である場合は、例えばＨＩＦ部１３（表示部１３１、入力部１３２）に表示されるメニューのうちルート検索のスイッチ１３５が薄く表示され、該スイッチ１３５をユーザが操作してもルート検索操作が禁止されている状態となる。
【００３５】
ここで、ユーザがこのスイッチ１３５を操作した場合は、ルート検索の利用ができないことが、ＨＩＦ部１３（音声部１３３）によりユーザに案内される。例えば、「現在、ルート検索を利用することができません」というメッセージが案内される。そしてさらに、本実施形態では、例えば禁止要因が車速である場合には、「速度を落とすと、ルート検索操作を行うことができます」という案内が、ＨＩＦ部１３（音声部１３３）により行われる。また例えば、禁止要因が車間距離である場合には、「車間距離を大きくとるようにすると、ルート検索操作を行うことができます」という案内が、ＨＩＦ部１３（音声部１３３）により行われる。また例えば、禁止要因が自車位置であり、自車位置が渋滞等により運転者がブレーキ操作に集中する必要が生じるような高負荷エリア内に位置している場合には、「渋滞の少ない道路へ迂回するようにすると、ルート検索操作を行うことができます」という案内が、ＨＩＦ部１３（音声部１３３）により行われる。
【００３６】
［４．効果］
以上詳述した実施形態によれば、以下の効果が得られる。
［４Ａ］特定操作が禁止されている期間に入力部１３２に対して特定操作が行われたときは、どのようにすれば特定操作に基づく処理の禁止が解除されるかの案内が行われる。すなわち、特定操作に基づく処理の禁止が解除されるように、運転負荷を低くさせる案内が行われる。これにより、走行強制により操作が制限された状態において、操作の制限の運転者による解除を可能とすることができる。
【００３７】
［４Ｂ］特定操作が禁止されている期間に、入力部１３２に対して特定操作とは異なる別の操作が行われた場合（Ｓ１３５；ＮＯ）は、特定操作の禁止を解除するための案内は行われない。余計な案内が行われないため、運転者を運転に集中させることができる。
【００３８】
［４Ｃ］案内は、音声によって行われるため、運転者を運転に集中させることができる。
なお、本実施形態では、Ｓ１０５が負荷取得手段としての処理の一例に相当し、Ｓ１１５が禁止手段としての処理の一例に相当し、Ｓ１３５が検出手段としての処理の一例に相当する。また、Ｓ１５０が案内手段としての処理の一例に相当する。また、ＨＩＦ部１３（入力部１３２）が操作用画面としての一例に相当し、ナビゲーションＥＣＵ１５が表示処理装置としての一例に相当する。さらにまた、ルート検索操作が特定操作としての一例に相当する。
【００３９】
［５．他の実施形態］
以上、本発明の実施形態について説明したが、本発明は、上記実施形態に限定されることなく、種々の形態を採り得ることは言うまでもない。
【００４０】
［５Ａ］上記実施形態では、ナビゲーションＥＣＵ１５は、特定操作に基づく処理の禁止が解除されるように、運転負荷を低くさせる案内を行っていた（Ｓ１５０）が、案内の内容はこれに限るものではない。例えば、ナビゲーションＥＣＵ１５は、案内処理（Ｓ１０５）により取得される運転負荷の高低に基づいて、運転負荷が特定運転負荷より高い場合に、運転負荷を特定運転負荷以下とする案内を行ってもよい。
【００４１】
例えば、禁止要因が速度である場合は、速度を具体的にどのような値まで下げればよいのか、を案内するようにしてもよい。すなわち、一例として禁止要因が車速であり、車速閾値が時速２０ｋｍである場合に、「速度を時速２０ｋｍ（車速閾値）よりも下げると、ルート検索操作を行うことができます」というように、車速を車速閾値より小さい値とさせるような具体的な数値を示した案内を行ってもよい。また、一例として禁止要因が車間距離であり、車間閾値が５０ｍである場合に、「車間距離を５０ｍより大きくすると、ルート検索操作を行うことができます」というように、車間距離を車間閾値より大きい値とさせるような具体的な数値を示した案内を行ってもよい。また、一例として禁止要因が自車位置であり、自車位置が渋滞等により運転者がブレーキ操作に集中する必要が生じるような高負荷エリア内に位置している場合には、「１０ｍ先を右折して渋滞の少ない道路へ迂回するようにすると、ルート検索操作を行うことができます」というように、高負荷エリア外に自車両を位置させる為に渋滞の少ないルートを具体的に示すような案内を行ってもよい。
【００４２】
［５Ｂ］上記実施形態では、禁止要因が１つ（車速）の高負荷状態の場合に、運転負荷を低くさせる案内を行う例について説明した。これに対し、禁止要因が複数の高負荷状態の場合、これら禁止要因の全てについて負荷フラグをリセットさせるような案内を行っても良いし、これらの禁止要因の一部について負荷フラグをリセットさせるような案内を行っても良い。すなわち、例えば、車速及び車間距離に負荷フラグがセットされている高負荷状態が制限時負荷状態として記憶されている場合に、負荷状態が低負荷状態（特定運転負荷）以下となるように、「速度を落とし、車間距離を十分あけると、ルート検索操作を行うことができます」というように、禁止要因（車速と車間距離）の全てについて負荷フラグをリセットさせるような案内を行ってもよい。また、車速及び車間距離のうち一方についてのみ、負荷フラグをリセットさせるような案内を行っても良い。
【００４３】
［５Ｃ］上記実施形態では、ナビゲーションＥＣＵ１５は、音声による案内を行っていた（Ｓ１４０、Ｓ１５０）が、案内の態様はこれに限らない。ナビゲーションＥＣＵ１５は、例えば、画像により案内を行うものであってもよく、画像及び音声の両方により案内を行うものであってもよい。
【００４４】
［５Ｄ］上記実施形態では、高負荷状態である場合に制限タスクであるルート検索操作の実行が禁止されていたが、制限タスクとして実行が禁止される特定操作は、ルート検索操作に限るものではない。制限タスクとして実行が禁止される特定操作は、ＨＩＦ部１３の入力部１３２に対するあらゆる種類のユーザの操作を対象としてよい。
【００４５】
［５Ｅ］上記実施形態では、ＨＩＦ部１３はタッチパネルディスプレイを備えていたが、これに限るものではない。ＨＩＦ部１３は、表示部１３１及び入力部１３２を別体として備えていてもよい。例えば、表示部１３１は、表示画面に画像を表示するディスプレイ等であってもよく、入力部１３２は、ステアリングスイッチのような物理スイッチ等であってもよい。また例えば、ナビゲーションＥＣＵ１５が音声認識機能を有するものであってもよく、この場合、ＨＩＦ部１３（入力部１３２）がユーザの音声により指示されるものであってもよい。
【００４６】
［５Ｆ］上記実施形態では、ナビゲーションＥＣＵ１５は、運転者の運転負荷を高負荷状態及び低負荷状態の２つの状態のうちのいずれかに特定していたが、これに限るものではない。例えば、上記実施形態では、高負荷状態は１つの状態を表していたが、これに限るものではない。高負荷状態は、第１の高負荷状態、第２の高負荷状態、…のように複数の状態を含んでいても良い。また、検出項目における負荷フラグの状態に応じて特定される高負荷状態は、どのような入力操作を特定操作とするかに応じて、異なるものであっていても良い。すなわち、ルート検索操作を特定操作とする上記実施形態では、一例として、検出項目のうち少なくとも１つの検出項目について負荷フラグがセットされている状態を、高負荷状態であると特定していた。これに対し、異なる入力操作を特定操作とする場合に、例えば、全ての検出項目について負荷フラグがセットされている状態を高負荷状態であると特定するようにしてもよい。
【００４７】
［５Ｇ］上記実施形態では、検出部１１は、ＧＰＳ受信機１１１、車速センサ１１２、車間距離センサ１１３を備え、自車両の車両状態を検出していたが、これらに限るものではない。この他に例えば、ハンドルの舵角を検出する舵角センサや、アクセル開度を検出するセンサや、加速度を検出する加速度センサ等を備えていても良い。また、車両用表示処理システム１が、例えばスマートフォン等の携帯電話と連携する機能を備える場合に、該携帯電話が受信状態であるか否かを車両状態として検出し、受信状態である場合に負荷フラグをセットするようにしてもよい。
【００４８】
［５Ｈ］上記実施形態では、高負荷エリアは予め定められており、該高負荷エリアが地図データベース部１２に記憶されていた。これに対し、例えば、車両用表示処理システム１が通信手段を備える場合、地図データベース部１２は、該通信手段により外部より取得された高負荷エリアの情報を随時記憶するように構成されていてもよい。また、高負荷エリアが、運転者の運転負荷の状態に応じて、複数段階に分けて記憶されていてもよい。
【００４９】
［５Ｉ］上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【００５０】
［５Ｊ］本発明は、前述したナビゲーションＥＣＵ１５、車両用表示処理システム１の他、ナビゲーションＥＣＵ１５を機能させるためのプログラム、このプログラムを記録した媒体、表示処理方法など、種々の形態で実現することができる。
【符号の説明】
【００５１】
１…車両用表示処理システム  １１…検出部  １３…ＨＩＦ部  １４…記憶部  １５…ナビゲーションＥＣＵ  ５１…ＣＰＵ  １３１…表示部  １３２…入力部  １３３…音声部。
【図１】
0006361349.tif 000002
【図２】
0006361349.tif 000003
【図３】
0006361349.tif 000004
【図４】
0006361349.tif 000005